(57)【要約】【課題】三方枠の異なる設計に対応でき、大量生産のロット効果が大きく、輸送時にはコンパクトな形にできるエレベータ三方枠の提供。【解決手段】エレベータ三方枠の縦枠あるいは上枠のパネル体を、複数のパネル要素を折り畳み位置あるいは組立位置に回転可能にヒンジ結合して構成した。パネル体は、同様にヒンジ結合された複数の結合部材要素で構成された結合部材によって組立位置に保持される。パネル要素間に目地を設け、パネル要素あるいは結合部材要素を交換可能にできる。【効果】様々な長さ寸法および角度寸法に容易に対応することができ、輸送効率も高くできる三方枠が提供される。【選択図】図１５
2009154991.tif 000002
【特許請求の範囲】
【請求項１】
複数のパネル要素と、これらパネル要素を折り畳み位置あるいは組立位置に回転可能に互いに結合する結合手段とを備えたパネル体を備えていることを特徴とするエレベータ三方枠。
【請求項２】
上記パネル体は、三方枠の縦枠および上枠の少なくともいずれか一方を構成していることを特徴とする請求項１に記載のエレベータ三方枠。
【請求項３】
上記パネル体は、上記パネル要素に接続されて上記パネル要素を上記組立位置に保持する結合部材を備えていることを特徴とする請求項１あるいは２に記載のエレベータ三方枠。
【請求項４】
上記結合部材は、複数の結合部材要素と、これら結合部材要素を折り畳み位置あるいは組立位置に回転可能に互いに結合する結合手段とを備えていることを特徴とする請求項３に記載のエレベータ三方枠。
【請求項５】
上記結合手段は、ヒンジであることを特徴とする請求項１〜４のいずれか一項に記載のエレベータ三方枠。
【請求項６】
上記パネル要素あるいは上記結合部材要素は、交換可能であることを特徴とする請求項１〜５のいずれか一項に記載のエレベータ三方枠。
【請求項７】
上記パネル要素間に弾性のある目地を設けたことを特徴とする請求項１〜６のいずれか一項に記載のエレベータ三方枠。
【請求項８】
上記パネル体間は、上記パネル体の一方に差込式に設けられた取付金によって結合されていることを特徴とする請求項１〜７のいずれか一項に記載のエレベータ三方枠。
【発明の詳細な説明】
【技術分野】
【０００１】
本発明はエレベータの乗場の出入口に据え付け固定される三方枠に関するものである。
【背景技術】
【０００２】
エレベータが設置されるビル等の建物には、各階床の昇降路に面した壁面に、乗場の出入口となる開口部が設けられている。そして、その開口部に、乗場開閉ドアやその敷居と共に、三方枠が据え付け固定されている。
【０００３】
この三方枠は、左右一対の縦枠と、これら一対の縦枠をその上端側にて連結する上枠とを備えている。これら一対の縦枠や上枠は、通常、ステンレス鋼板等の金属板材が、乗場の出入口付近の構造や乗場のデザイン等に応じて適宜な形状に折り曲げ加工されてなるものである。
【０００４】
【特許文献１】特開２００３−４０５６６号公報
【発明の開示】
【発明が解決しようとする課題】
【０００５】
このような従来の三方枠においては、縦枠や上枠を折り板金折り曲げ加工によりパネルとして形成し、これらパネルをツナギ板や裏板などを用いて互いに結合して三方枠として組立ていた。このような従来の上枠、縦枠パネルは設計に応じて様々な形状、長さ寸法、角度寸法のものを製作しなければならず、またツナギ板や裏板などもそれぞれの設計によって異なるものが必要であった。このため大量生産のロット効果による生産の容易さおよびコストの低減が期待できなかった。
【０００６】
また、これらの上枠や縦枠は折り曲げ加工による板金製品であるため、輸送時の嵩が大きくなり、輸送効率が悪かった。
【０００７】
従ってこの発明の目的は、様々な異なる設計の三方枠の上枠パネルや縦枠パネルに対応することでき、大量生産のロット効果が大きく、輸送時にはコンパクトな形で輸送できるエレベータ三方枠を提供することである。
【課題を解決するための手段】
【０００８】
この発明のエレベータ三方枠は、複数のパネル要素と、これらパネル要素を折り畳み位置あるいは組立位置に回転可能に互いに結合する結合手段とを備えたパネル体を備えていることを特徴とするエレベータ三方枠である。
【発明の効果】
【０００９】
この発明のエレベータ三方枠によれば、エレベータ三方枠の様々な枠幅、角度などの長さ寸法および角度寸法に容易に対応することができ、しかも輸送効率も高くできる三方枠を提供することができる。
【発明を実施するための最良の形態】
【００１０】
実施の形態１．
図１〜図３にはこの発明のエレベータ三方枠の一実施形態をエレベータ乗場に据付けた例を示してあり、図１はこの発明のエレベータ三方枠を用いたエレベータ装置の乗場を示す概略正面図、図２は図１の矢印ＩＩの方向に見た概略平面図、図３は図１のＩＩＩ−ＩＩＩ線に沿った概略断面図である。
【００１１】
これらの図において、三方枠１は一対の縦枠２と、縦枠２の上端部間に連結された上枠３とから構成され、乗場壁４の開口部５の縁部に取り付けられている。開口部５は、下端が乗場床６によって画定されていて、三方枠１および乗場床６に沿って移動する乗場戸７によって開閉される。三方枠１の縦枠２の下端は建物の乗場床６上に設けられている。
【００１２】
図４〜図７には図１〜図３に示す三方枠１の各部の構造を示し、図４は図２のＩＶ−ＩＶ部分の概略拡大図、図５は図４の矢印Ｖの方向に見た側面図、図６は図４のＶＩ−ＶＩ線に沿った概略断面図、図７は図１のＶＩＩ−ＶＩＩ線に沿った概略断面図である。
【００１３】
これらの図において、図４および図５に特によく示されているように、上枠３は、全体として長い矩形のパネル状に組み立てられたパネル体８であって、パネル体８は、矩形の主パネル要素９と、主パネル要素９の乗場側の長縁から立ち上がった立ち上がりパネル要素１０と、立ち上がりパネル要素１０の先端縁から昇降路側に延びた折り返しパネル要素１１と、主パネル要素９の昇降路側の長縁から立ち上がった立ち上がりパネル要素１２と、これらのパネル要素９〜１２を互いに結合する結合手段１３とを備えている。
【００１４】
各パネル要素９〜１２は図示の例ではいずれも平坦な金属板であるが、適当な合成樹脂材料あるいは複合材なども使用できるし、僅かな湾曲あるいは浅い折目をもつものなども使用できる。
【００１５】
結合手段１３は、後に図８および図９に関連して詳しく説明するように、パネル要素間に接続されて、パネル要素９〜１２を互いに回動可能に結合するものであって、例えば別部品としての金属製あるいは合成樹脂製のヒンジでよい。結合手段１３はまた、パネル要素を素材の板材から切り取る際に、パネル要素間に断続的なスリットあるいはパーフォレーションを入れてパネル要素間に橋絡部分として残された板材の連続部分をヒンジとすることもできる。結合手段１３はまた、パネル要素９〜１２を素材の板材から切り取る際に、パネル要素間に設けた溝などの厚さの薄くされた部分として、この部分でパネル要素９〜１２をこの部分をヒンジとして回転させ、折り曲げることができるようにすることもできる。
【００１６】
このように、上枠３のパネル体８は、複数のパネル要素９〜１２と、これらパネル要素９〜１２を回転可能に互いに結合する結合手段１３とを備えていて、結合手段１３の位置でパネル要素９〜１２を回転させて折り畳んだ折り畳み位置にすることができ、また折り畳み位置から展開して組み立てて据付が可能な組立位置にもすることができる。またパネル体８は、三方枠１の上枠３を構成している。
【００１７】
また、上枠３のパネル要素９〜１２はエレベータの乗場の設計に応じて交換可能であり、パネル要素９〜１２間に弾性のある素材の目地を設けてある。この点については、後に図８および図９に示す縦枠２に関連して説明する構造と同様である。
【００１８】
縦枠２は、図５および図７によく示されているように、また図８〜図１０に構造の詳細が示されているように、全体として長い矩形のパネル状に組み立てられたパネル体１４を備えていて、このパネル体１４は基本的には上枠３のパネル体８と同様である。図８は縦枠の構造の詳細を示す図７と同様の概略断面図であり、図９は図８の縦枠の枠幅とパネル角度とを変更した例を示す概略断面図であり、図１０は縦枠に上枠を結合するための取付金と縦枠との関係を示す斜視図である。
【００１９】
即ち、パネル体１４は、矩形の主パネル要素１５と、主パネル要素９の乗場側の長縁から立ち上がった立ち上がりパネル要素１６と、立ち上がりパネル要素１６の先端縁から昇降路側に延びた折り返しパネル要素１７と、主パネル要素９の昇降路側の長縁から立ち上がった立ち上がりパネル要素１８と、立ち上がりパネル要素１８の先端縁から乗場側に延びた折り返しパネル要素１９と、これらのパネル要素１５〜１９を互いに結合する結合手段２０とを備えている。
【００２０】
縦枠２のパネル体１４のパネル要素１５〜１９は、形状および寸法は別として、上枠３のパネル体８のパネル要素９〜１２と同じように、図示の例ではいずれも平坦な金属板であるが、適当な合成樹脂材料あるいは複合材なども使用できるし、僅かな湾曲あるいは浅い折目をもつものなども使用できる。また、縦枠２のパネル体１４の結合手段２０は、上枠３のパネル体８の結合手段１３と同じヒンジであり、図示の例ではパネル要素１５〜１９とは別部品の金属製の蝶番が用いられている。
【００２１】
このように、縦枠２のパネル体１４は、複数のパネル要素１５〜１９と、これらパネル要素１５〜１９を回転可能に互いに結合する結合手段２０とを備えていて、結合手段２０の位置でパネル要素１５〜１９を回転させて折り畳んだ折り畳み位置にすることができ、また折り畳み位置から展開して組み立てて据付が可能な組立位置にもすることができる。またパネル体１４は、三方枠１の縦枠２を構成している
【００２２】
縦枠２のパネル体１４は更に、パネル要素１５〜１９に接続されてパネル要素１５〜１９を図８あるいは図９に示すような組立位置に保持する結合部材２１を備えている。結合部材２１は、図５および図１０に示されているような帯状の板部材で、乗場側の一端ではパネル要素１７の内面に、昇降路側の他端ではパネル要素１９の内面にボルト３１等によって固着されている。図示の例では結合部材２１は、全体としてクランク状に折り曲げられた連続した板材であって、パネル要素１７に一端で結合された主結合部材要素２２と、主結合部材要素２２の他端（昇降路側の縁部）から立ち上がった立ち上がり結合部材要素２３と、立ち上がり結合部材要素２３の先端から昇降路側に向かって延びたフランジ結合部材要素２４とを備えている。
【００２３】
パネル体１４はまた、図１０に示すように、主パネル要素１５の内面に支持ブラケット２５によって差込式に支持されて取り付けられた取付金２６を備えていて、この取付金２６が上枠３のパネル体８の主パネル要素９にボルト２７等によって固着されている。このため、パネル体８とパネル体１４との間は、図５および図６に示されるように、パネル体８にボルト２７で取り付けられ、パネル体１４に支持ブラケット２５で差込式に取付けられた取付金２６によって結合されている。
【００２４】
このように、結合部材２１はパネル体１４に結合されているのでパネル要素１７および１９を組立位置に支持することができる。またパネル体１４自体を建物の乗場壁４の開口部５の縁部にボルト等によって結合することができる。更に、パネル体１４は、その主パネル要素１５に取り付けられた取付金２６を介して上枠３のパネル体８に結合されている。このような様々な結合により縦枠２のパネル要素１５〜１９が所定の組立位置に保持され、図８に示すような形状の縦枠２を得ることができる。
【００２５】
縦枠２のパネル体１４においては、乗場から目視できる位置のパネル要素間のつなぎ目には、美観を高め、異物の侵入を防ぐ目地２８あるいはシールを設けてある。目地２８は、縦枠２の組立後に設けることもできるし、目地２８を弾性を有する材料で作ってあらかじめパネル要素１５〜１９間の隙間に挿入しておくこともできる。
【００２６】
図８に示す縦枠２の結合部材２１には裏板２９が設けられている。裏板２９は結合部材２１と同様の断面形に折り曲げられており、ボルト３０によって結合部材２１に取り付けられている。裏板２９は縦枠２の背面を全体的に覆うとともに縦枠２の補強作用のために設けるものであり、エレベータ三方枠の使用状況によっては無くとも良い。
【００２７】
このようなエレベータ三方枠１の製造に当たっては、製作工場では縦枠２と上枠３とは別部品として製作され、据付現場で取付金２６を用いて三方枠として組み立てられる。この発明のエレベータ三方枠によれば、縦枠２および上枠３は、それぞれ折り畳み位置にして出荷することができる。勿論、必要があれば、縦枠２および上枠３はそれぞれ、製作工場で図４〜図７に示されているような組立位置にしてから出荷することもできる。
【００２８】
図１１〜図１４には、このような縦枠２および上枠３の組立位置と折り畳み位置とを示してある。即ち図１３において、図８に示されている縦枠２のパネル体１４が組立位置にあり、パネル体１４を組立位置に保持する結合部材２１がパネル体１４に取り付けられる前の状態で示されている。このような状態で、結合部材２１とそこに取り付けられた裏板２９とは、それぞれ板金加工により折り曲げられた一枚の板材であるので、図１１に示す状態のままで出荷される。
【００２９】
しかしながら、パネル体１４は、複数のパネル要素１５〜１９とヒンジである結合手段２０とで構成されているので、結合手段２０の箇所で折り畳んで、図１２に示すように折り畳み位置にすることができる。このような折り畳み位置ではパネル体１４は、主パネル要素１５の幅と同程度の幅寸法で、板材の厚さの約２倍程度の厚さ寸法であり、組立位置のパネル体１４に比較して全体として格段に小さな嵩しかなく、出荷時の輸送効率を高くすることができる。
【００３０】
図１３には上枠３のパネル体８を組立位置で示し、図１４には上枠３のパネル体８を折り畳み位置で示してある。折り畳み位置の上枠３は極めて薄いコンパクトな状態となり、出荷時の取り扱いが容易である。
【００３１】
図９に示す縦枠２は、例えば乗場の構造上あるいはデザイン上の理由などのために、縦枠２の幅寸法Ｗ、厚さ寸法Ｔおよび主パネル要素１５の角度θ２が、図８に示す縦枠２の主パネル要素１５の角度θ１に対して変更されている。このような変更は、パネル体１４が複数のパネル要素１５〜１９と回転を容認するヒンジである結合手段２０とで構成されているため、結合部材２１および裏板２９を適宜交換し、ヒンジである結合手段２０の角度を僅かに変更することにより容易におこなうことができる。
【００３２】
結合部材２１の交換とともに、パネル要素１５〜１９の形状を適宜交換すれば更に様々な形状および寸法に対応できる。例えば主パネル要素１５の幅寸法Ｗを変えて図示のものよりも幅広のものを使用すれば角度を例えばθ１からθ２に変えても幅寸法Ｗが変わらないようにすることができる。このとき厚さＴは大きくなる。
【００３３】
実施の形態２．
図１５および図１６に示すエレベータ三方枠においては、縦枠３２のパネル体１４だけでなく、結合部材３３も、複数の結合部材要素３４〜３７と、これら結合部材要素３４〜３７を折り畳み位置あるいは組立位置に回転可能に互いに結合する結合手段３８とを備えている。図１５はパネルの角度を所定範囲内で任意に可変にした縦枠３２を示す図８と同様の概略断面図で、円Ａで囲んだ部分の部分拡大図も示してあり、図１６は角度も枠幅も可変であることを示す縦枠の概略断面図である。
【００３４】
図１５において、縦枠３２のパネル体１４は例えば図８に示すパネル体１４と同じものであるが、結合部材３３は、主結合部材要素３４と、主結合部材要素３４の乗場側縁部に接続されてパネル体１４のパネル要素１７にボルト３１等によって結合された結合部材要素３５と、主結合部材要素３４の昇降路側縁部に接続された立ち上がり結合部材要素３６と、この立ち上がり結合部材要素３６の先端に接続されてパネル体１４のパネル要素１９にボルト３１等によって結合された結合部材要素３７とを備え、これら結合部材要素３４〜３７がヒンジである結合手段３８によって互いに回転可能に結合されている。
【００３５】
また、裏板２９は、結合部材３３の各要素３４〜３７に密着して取り付けられるように、各結合部材要素３４〜３７に対応する裏板要素４１〜４４を持ち、各要素４１〜４４間はヒンジである結合手段４５により互いに回転可能に結合されている。結合部材３３と裏板２９とは図８および図９に示すようなボルト３０で互いに締結されているがそれぞれの要素間のヒンジである結合手段３８および４５によって１つの組立体として屈曲できるようにされている。
【００３６】
この縦枠３２においては、パネル体１４のパネル要素１５〜１９あるいは結合部材３３の結合部材要素３４〜３７を交換することなく、図１５の想像線で示すように主パネル要素１５の角度θを変更できる。また結合部材３３も折り畳み位置にすることができるので出荷の際の運送効率が高くなる。
【００３７】
図１６に示す縦枠３２は、パネル体１４を回転させて角度θを変えるのと同時に、主パネル要素１５の代わりに幅寸法の大きな主パネル要素３９を組み合わせ、結合部材３３の代わりに幅寸法の大きな結合部材４６を組合せて用いている。このため、図の想像線で示す組立位置にある縦枠４０は、実線で示すスタンダード型の縦枠３２に比較して角度θも幅寸法Ｗも変えられている。
【００３８】
このようなエレベータ三方枠を構成する縦枠３２、上枠３および結合部材３３の詳細構造は図１７〜図２４に示されており、図１７は図１５の縦枠を構成するパネル体１４を組立位置で示す端面図、図１８は図１５のパネル体１４を折り畳み位置で示す端面図、図１９は上枠を構成するパネル体８を組立位置で示す端面図、図２０は図１９のパネル体８を折り畳み位置で示す端面図、図２１は図１５の縦枠を構成する結合部材３３のツナギ板を組立位置で示す端面図、図２２は図１５のツナギ部材３３を折り畳み位置で示す端面図、図２３は図１５の縦枠を構成する結合部材３３の裏板を組立位置で示す端面図、図２４は図２３の裏板を折り畳み位置で示す端面図である。
【００３９】
このように、このエレベータ三方枠は運搬の際には板状に折り畳んだ折り畳み位置にしてコンパクトにすることができ、据付現場では折り畳み位置から組立位置に容易に展開することができるので、輸送効率を極めて高くできる。また、必要に応じて据付現場でパネル要素の角度を調整したり、幅あるいは厚さ寸法を調整したりすることもできる。
【図面の簡単な説明】
【００４０】
【図１】この発明のエレベータ三方枠を用いたエレベータ装置の乗場を示す概略正面図である。
【図２】図１の矢印ＩＩの方向に見た概略平面図である。
【図３】図１のＩＩＩ−ＩＩＩ線に沿った概略断面図である。
【図４】図２のＩＶ−ＩＶ部分の概略拡大図である。
【図５】図４の矢印Ｖの方向に見た側面図である。
【図６】図４のＶＩ−ＶＩ線に沿った概略断面図である。
【図７】図１のＶＩＩ−ＶＩＩ線に沿った概略断面図である。
【図８】縦枠の構造の詳細を示す図７と同様の概略断面図である。
【図９】図８の縦枠の枠幅とパネル角度とを変更した例を示す概略断面図である。
【図１０】縦枠に上枠を結合するための取付金と縦枠との関係を示す斜視図である。
【図１１】図８の縦枠を構成するパネル体を結合部材と共に組立位置で示す端面図である。
【図１２】図１１のパネル体を折り畳み位置で示す端面図である。
【図１３】上枠を構成するパネル体を組立位置で示す端面図である。
【図１４】図１３のパネル体を折り畳み位置で示す端面図である。
【図１５】この発明のエレベータ三方枠の別の実施の形態のパネルの角度を所定範囲内で任意に可変にした縦枠を示す図８と同様の概略断面図である。
【図１６】角度も枠幅も可変であることを示す縦枠の概略断面図である。
【図１７】図１５の縦枠を構成するパネル体を組立位置で示す端面図である。
【図１８】図１７のパネル体を折り畳み位置で示す端面図である。
【図１９】上枠を構成するパネル体を組立位置で示す端面図である。
【図２０】図１７のパネル体を折り畳み位置で示す端面図である。
【図２１】図１５の縦枠を構成する結合部材のツナギ板を組立位置で示す端面図である。
【図２２】図２１のツナギ部材を折り畳み位置で示す端面図である。
【図２３】図１５の縦枠を構成する結合部材の裏板を組立位置で示す端面図である。
【図２４】図２３の裏板を折り畳み位置で示す端面図である。
【符号の説明】
【００４１】
１  エレベータ三方枠、２、３２、４０  縦枠、３  上枠、８、１４  パネル体、９〜１２、１５〜１９、３９  パネル要素、１３、２０、３８  結合手段、２１、３３  結合部材、２２〜２４、３４〜３７  主結合部材要素、２６  取付金、２８  目地、２９  裏板。
【図１】
2009154991.tif 000003
【図２】
2009154991.tif 000004
【図３】
2009154991.tif 000005
【図４】
2009154991.tif 000006
【図５】
2009154991.tif 000007
【図６】
2009154991.tif 000008
【図７】
2009154991.tif 000009
【図８】
2009154991.tif 000010
【図９】
2009154991.tif 000011
【図１０】
2009154991.tif 000012
【図１１】
2009154991.tif 000013
【図１２】
2009154991.tif 000014
【図１３】
2009154991.tif 000015
【図１４】
2009154991.tif 000016
【図１５】
2009154991.tif 000017
【図１６】
2009154991.tif 000018
【図１７】
2009154991.tif 000019
【図１８】
2009154991.tif 000020
【図１９】
2009154991.tif 000021
【図２０】
2009154991.tif 000022
【図２１】
2009154991.tif 000023
【図２２】
2009154991.tif 000024
【図２３】
2009154991.tif 000025
【図２４】
2009154991.tif 000026